(57)【要約】【課題】ルアーの小さな動きで振動を発生させるルアーを提供することを目的とする。【解決手段】本発明のルアーは、中空部２Ａを有する本体２と、中空部２Ａ内に突設され、一端を自由端とするコイルスプリング７と、中空部２Ａ内に収納され、コイルスプリング７に衝突する揺動体１０と、を有することを特徴とする。【選択図】図２
2008237027.tif 000002
【特許請求の範囲】
【請求項１】
中空部を有する本体と、
前記中空部内に突設され、一端を自由端とするコイルスプリングと、
前記中空部内に収納され、前記コイルスプリングに衝突する揺動体と、
を有することを特徴とするルアー。
【請求項２】
前記コイルスプリングは、前記本体の底部に突設したことを特徴とする請求項１に記載のルアー。
【請求項３】
前記中空部内に、前記揺動体をコイルスプリングに向けて誘導する通路を形成したことを特徴とする請求項１又は２に記載のルアー。
【請求項４】
前記中空部に、前記本体が水中で静止した状態で、コイルスプリングに向かって上る傾斜面を形成したことを特徴とする請求項１乃至３のいずれか１項に記載のルアー。
【請求項５】
前記コイルスプリングは、その一部が前記本体の外部に露出していることを特徴とする請求項１乃至４のいずれか１項に記載のルアー。
【請求項６】
前記コイルスプリングは、前記本体の外部に設けた釣り針取り付け部と一体に形成されていることを特徴とする請求項１乃至５のいずれか１項に記載のルアー。
【請求項７】
前記揺動体は中空部内に複数収納されており、前記コイルスプリングに対して異なる位置に衝突可能であることを特徴とする請求項１乃至６のいずれか１項に記載のルアー。
【発明の詳細な説明】
【技術分野】
【０００１】
本発明は、振動を発生するルアーに関する。
【背景技術】
【０００２】
従来から、ルアーに振動を発生させて魚を誘うことを目的としたルアーが提案されている。例えば、実際に昆虫が水面に落ちると、その動きによって振動を発生し、それが魚を呼ぶ要因になることから、ルアー本体から振動を発生させることで、魚を釣ることが可能になる。このようにルアーから振動を発生する手段として、電気的な方法による装置を組み込んだものが提案されているが、構造が複雑となってしまうと共に、ルアー自体が重く大型化し、実用的ではなかった。
【０００３】
そこで、特許文献１には、ラトルボールとコイルスプリングで音を発生させるルアーが紹介されている。このルアーは、中空部にてラトルボールをコイルスプリングで浮遊状態に支持し、ルアーを動かしたときの揺れでコイルスプリングに振り回されたラトルボールを中空部の内壁面に衝突させて、ラトルボールがルアーのボディ壁をたたいて音を発生するようになっている。
【特許文献１】特開２００３−２１９７６５号
【発明の開示】
【発明が解決しようとする課題】
【０００４】
しかし、水に落ちたセミが鳴きながら浮いていたり、甲虫が羽を震わせたり、弱った小魚が体を震わせたりする振動をルアーにおいて模そうとした場合、ルアーを動かしたときの泳動による大きな振動よりもあまり動かなくても生物が体を震わせて発する微細でスムースな振動が必要と考えられる。すなわち、上記した公知のルアーのように、コイルスプリングにラトルボールを取り付けた構造では、ラトルボールを中空部の内壁面に衝突させないと振動が発生せず、どうしてもルアーに大きな動きを与える必要があるため、魚を脅かしてしまうおそれがあった。
【０００５】
本発明は、上記した問題に基づいてなされたものであり、ルアーの小さな動きで振動を発生させるルアーを提供することを目的とする。
【課題を解決するための手段】
【０００６】
上記した目的を達成するために、本発明に係るルアーは、中空部を有する本体と、前記中空部内に突設され、一端を自由端とするコイルスプリングと、前記中空部内に収納され、前記コイルスプリングに衝突する揺動体と、を有することを特徴とする。
【０００７】
上記したルアーによれば、コイルスプリングは、一端が自由端となるように本体の中空部に突設されているため、揺動体が衝突すると、コイルスプリングが片持ち状態で振動することから、次第に減衰するまでは音が切れることなく、スムースな振動を発生させることができる。
【発明の効果】
【０００８】
本発明によれば、ルアーの小さな動きで確実に振動を発生させるルアーが得られる。
【発明を実施するための最良の形態】
【０００９】
以下、本発明に係るルアーの実施形態について説明する。
図１及び図２は、本発明の第１の実施形態を示す図であり、図１は、全体構成を示す図、図２は、内部構成を示す図である。
【００１０】
本実施形態のルアー１は、全体をセミの外形を模した本体２を備えている。本体２は、ＡＢＳ、ポリカーボネートなどの合成樹脂で、内部に中空部２Ａを具備して一体形成されている。本体２の表面部には、構成部品として、リール側からの釣糸２０が止着されるリング３、釣り針２１の止め輪２１ａが止着されるリング４、及びセミの構成要素である目５、モノフィラメント等によって構成される羽６が取り付けられて、その先端が水面Ｓに接して引き波を立てて魚を誘うようになっている。これらの構成部品は、本体２と共に一体形成しても良いし、別部品として作成しておき、形成された本体２に取着しても良い。また、塗装等によって、より現物のセミに近い意匠を施しても良い。
【００１１】
前記中空部２Ａは、本実施形態では、頭部領域と胴部領域に複数に区分けされており、胴部側の中空部内に、一端を自由端とするコイルスプリング７の基端部が取着されている。このコイルスプリング７は、振動を発生することを目的とするものであり、一端を自由端として中空部２Ａ内に接触しない状態とすることで、後述する揺動体がルアーアクションで移動して衝突することにより長い時間振動することが許容される。この場合、コイルスプリングは、コイル状のばねであり、単位長さあたりの巻回数が多いものを用いることで、より長い時間、振動させておくことが可能となる。また、コイルスプリング７は、本体２の水中側となる方向である底部２ａに固定されており、その基端部の突出端７ａが外部に露出するように取り付けられ、基端部以外は本体２に接触しないように支持されている。
【００１２】
そして、中空部２Ａ内には、前記コイルスプリング７に衝突できるように揺動体１０が封入されている。この場合、揺動体１０は、ルアーアクションによって中空部２Ａ内を移動する物体で、例えば、金属、ガラス、合成樹脂などのボール等によって転がり動くように構成することができ、図２に示すように、胴部領域となる中空部２Ａ内で前後方向に沿って移動可能となっている。
【００１３】
揺動体１０は、ルアーアクションに伴い、確実にコイルスプリング７に衝突できるように構成されていることが望ましい。このため、前記中空部２Ａ内には、揺動体１０をコイルスプリング７に向けて誘導する通路２ｂが形成されており、通路２ｂは、本体２の前後方向に延設され、コイルスプリング７は、通路２ｂの前方側に配されて、通路２ｂ内からの揺動体１０の脱落を防止するため、通路２ｂを遮断するように閉塞して揺動体１０を確実にコイルスプリング７に衝突できるようにしている。また、通路２ｂの後方側には、揺動体１０を保持する凹所２ｅが形成されている。
【００１４】
前記コイルスプリング７と揺動体１０との関係において、コイルスプリング７は、本体２が水中で静止した状態で、揺動体１０が収納される位置よりも高い位置に突設されていることが好ましい。また、この状態で、通路２ｂは、コイルスプリング７に向かって上る傾斜面２ｆが形成されているため、コイルスプリング７に衝突した揺動体１０はすぐにコイルスプリング７から離れて通路２ｂの後方側に戻り、凹所２ｅに入って移動が規制される。
【００１５】
上記した構成のルアー１は、実際の使用時では、リールの巻回操作や釣竿の煽り操作等によって、釣糸２０を介して牽引され、水面上であたかも実際のセミが落下した状態を演出することで、魚を釣り針２１に掛けることが可能となる。この場合、静止状態で後方を下方にして浮くルアー１の揺動体１０は、通路２ｂの後方側に位置するが、ルアーアクションに伴い、２点鎖線で示すように、通路２ｂの前方側に移動し、傾斜面２ｆを転がり上がってコイルスプリング７に側面側から衝突し、すぐに傾斜面２ｆを転がり下って通路２ｂの後方側に戻るため、揺動体１０が再びコイルスプリング７に接触することが防止される。このままルアー１を静止させると、コイルスプリング７は、固定側を支点として自由端側が振動することができ、微細でスムースかつ切れのない振動が発生し、徐々に小さくなり減衰して行くが、この振動が本体２、羽６、突出端７ａ等を介して水中に向けて放出し、魚に対してルアー１が生き物のように効果的な振動、擬音を発生することが可能となる。
【００１６】
特に、コイルスプリング７は、本体２の水中側（水面Ｓより下方側）となる方向である底部２ａに固定されているため、振動を効果的に水中に伝えることができると共に、その突出端７ａが外部に露出（水中に露出）しているため、振動を確実に水中に伝えることができる。
【００１７】
また、上記したように、コイルスプリング７は、揺動体１０が収納される位置よりも高い位置に突設されている。また、ルアー１が水中で静止した状態で中空部２Ａ内にコイルスプリング７に向かって（近づくにつれて）上る傾斜面２ｆを有しているため、コイルスプリング７に衝突した揺動体１０がすぐにコイルスプリング７から離れ、再度コイルスプリングに当たってコイルスプリング７の振動を弱めてしまうことを防止することができる。また、釣糸２０の長手方向に引かれたときのルアーアクションでルアー１が動くその前後方向に沿って通路２ｂを設けることで、揺動体１０をスムースに動かすことができる。
【００１８】
図３は、上記した実施形態の変形例を示す図であり、その内部構成を示す図である。
この変形例では、コイルスプリング７の突出端７ａにリング（釣り針取り付け部）７ｂを形成しておき、ここに釣り針２１の止め輪２１ａを取着している。すなわち、コイルスプリング７は、本体２の外部に設けたリング７ｂと一体形成されている。
【００１９】
このような構成によれば、構造が簡略化され、コイルスプリング７の振動を直接、水中に伝えることが可能になる。
【００２０】
図４は、上記した実施形態の第２の変形例を示す図であり、その内部構成を示す図である。
この変形例では、コイルスプリング７の自由端に錘１１を取着している。このように、錘１１を取着することにより、コイルスプリング７の振動数や振動時間を変化させることができ、状況に応じてルアーの選択の余地が広がるようになる。
【００２１】
図５は、本発明の第２の実施形態を示す図であり、その内部構成を示す図である。
この実施形態では、本体２を小魚に模した例を示しており、胴部の前後方向（長手方向）に沿った中空部２Ａ内に、長さ方向に沿うようにコイルスプリング７を配設し、その一端を自由端として中空部２Ａの後方側に配設し、その他端の基端部が中空部２Ａの前方側に取着されている。
【００２２】
コイルスプリング７の一端は、目の付近において外部に突出させており、この部分でコイルスプリング７の振動を水中に伝えるようにしている。また、中空部２Ａ内の尾部側に長さ方向に沿ってコイルスプリング７に向かって（近づくにつれて）上る傾斜面２ｆを有する通路２ｂを形成して、ルアー１の静止状態において揺動体１０を凹所２ｅ内に収納し、ルアーアクションに伴いコイルスプリング７の自由端に軸方向側から衝突するようにしている。また、本実施形態では、さらに、腹側となる側壁を膨出して周囲がコイルスプリング７に向かって上る傾斜面２ｇを有する中空部２Ｃを形成し、この部分に第２の揺動体１２を封入している。中空部２Ｃは揺動体１２の案内用の通路としての機能を果たし、ルアーアクションに伴い、揺動体１０とは別の位置でコイルスプリング７に確実に衝突できるようにしている（コイルスプリングの横方向から衝突させる）。
【００２３】
このように、コイルスプリング７に衝突する揺動体は、複数設置されて、異なる位置で衝突させるようにしても良く、このような構成によっても、上記した振動とは異なる振動を発生させることが可能となる。すなわち、本体２の形態に応じて、最適で切れのないスムースな振動を適宜、発生させることが可能になる。
【００２４】
以上、本発明の実施形態について説明したが、本発明は、上記した実施形態に限定されることは無く、種々変形することが可能である。
【００２５】
例えば、本体２の外形状やコイルスプリング７の構成（材料、バネ定数等）については適宜変形することが可能であり、揺動体１０は俵型にする等、球状以外の形状で転がり動くようにしたり、スライドで動くようにしても良く、揺動体を線材で揺動自在に吊り下げてコイルスプリング７に衝突可能にする等、その揺動について様々な構造を用いることができる。さらに、揺動体１０をコイルスプリングに対して衝突させる部分についても適宜変形することが可能である。本願は、水に浮くように形成したルアーで説明したが、水に沈むルアーに実施することができる。
【図面の簡単な説明】
【００２６】
【図１】本発明の第１の実施形態を示す図であり、全体構成を示す図。
【図２】図１に示すルアーの内部構成を示す図。
【図３】図１に示すルアーの変形例を示す図であり、内部構成を示す図。
【図４】図１に示すルアーの第２の変形例を示す図であり、内部構成を示す図。
【図５】本発明の第２の実施形態を示す図であり、内部構成を示す図。
【符号の説明】
【００２７】
１  ルアー
２  本体
２Ａ，２Ｃ  中空部
２ａ  底部
２ｂ  通路
７  コイルスプリング
１０，１２  揺動体
【図１】
2008237027.tif 000003
【図２】
2008237027.tif 000004
【図３】
2008237027.tif 000005
【図４】
2008237027.tif 000006
【図５】
2008237027.tif 000007